(57)【要約】      （修正有）【課題】Ａ４サイズの紙を収容することができ、かつ、Ａ４サイズ用のビジネスバッグ、棚等に収容されることが簡単容易な封筒を提供する。【解決手段】それぞれ長方形状を呈し互いに３つの辺部で接続される表表紙部及び裏表紙３部を有する封筒１において、表表紙部及び裏表紙部は、それぞれ、Ａ４サイズより大きく形成されるとともに、角型２号サイズよりも小さく形成される。【選択図】図５
0003200352.tif 000002
【実用新案登録請求の範囲】
【請求項１】
それぞれ長方形状を呈し、互いに３つの辺部で接続され、接続に用いられない１つの辺部に開口が形成される表表紙部及び裏表紙部を有し、
前記表表紙部及び前記裏表紙部は、それぞれ、Ａ４サイズより大きく形成されるとともに、角型２号サイズよりも小さく形成される封筒。
【請求項２】
前記表表紙部及び裏表紙部は、長辺の長さが３００ｍｍ以上３１０ｍｍ以下、短辺の長さが２１５ｍｍ以上２２５ｍｍ以下である請求項１に記載の封筒。
【請求項３】
前記表表紙部における前記裏表紙部との接続に用いられない辺部に形成され、前記裏表紙部側へ折り返されると前記開口を閉塞する突出片部を有し、
前記表表紙部及び前記突出辺部が展開された状態で、角型２号サイズと同じ若しくは小さいサイズに形成される請求項２に記載の封筒。
【請求項４】
前記裏表紙部は、前記表表紙部との接続に用いられない辺部側に、当該辺部と平行な方向へ延びるとともに中央側が当該辺部へ向かって湾曲した線状の切り込みにより形成される仮止め片部を有し、
前記仮止め片部は、前記突出辺部が前記裏表紙部側へ折り返された状態で、前記突出片部よりも前記裏表紙部と反対側に位置させることにより、前記突出片部を仮止めする請求項３に記載の封筒。
【請求項５】
糊代部が、前記裏表紙部側に、前記切り込みと重ならないよう配置される請求項４に記載の封筒。
【請求項６】
前記糊代部は、前記表表紙部側からの折り返し部に前記裏表紙部が重ねられて構成され、
前記折り返し部の一部が、前記表表紙部と前記突出片部の折り目と重なる請求項５に記載の封筒。
【請求項７】
前記裏表紙部における前記表表紙部との接続に用いられない辺部は、一端から他端へ向かって前記折り目から離れる方向へ傾斜して形成される請求項６に記載の封筒。
【考案の詳細な説明】
【技術分野】
【０００１】
本考案は、Ａ４サイズの紙を収容可能な封筒に関する。
【背景技術】
【０００２】
一般に、Ａ４サイズの紙を収容する封筒として、角型２号サイズの封筒が用いられる（例えば、特許文献１参照）。Ａ４サイズの寸法は２１０ｍｍ×２９７ｍｍであり、角型２号サイズの封筒における表表紙及び裏表紙の寸法は２４０ｍｍ×３３２ｍｍである。このように、角型２号サイズの表表紙及び裏表紙の寸法が、Ａ４サイズの寸法よりも十分に大きいことから、Ａ４サイズの紙を折り曲げることなく収容することができる。
【先行技術文献】
【特許文献】
【０００３】
【特許文献１】特開２００７−１３１３１５号公報
【考案の概要】
【考案が解決しようとする課題】
【０００４】
しかしながら、角型２号サイズの封筒はＡ４サイズに対して大きすぎるため、角型２号サイズの封筒をＡ４サイズ用のビジネスバッグ、棚等に収容することは難しく不便であった。
【０００５】
本考案は、前記事情に鑑みてなされたものであり、その目的とするところは、Ａ４サイズの紙を収容することができ、かつ、Ａ４サイズ用のビジネスバッグ、棚等に収容されることが簡単容易な封筒を提供することにある。
【課題を解決するための手段】
【０００６】
本考案によれば、それぞれ長方形状を呈し、互いに３つの辺部で接続され、接続に用いられない１つの辺部に開口が形成される表表紙部及び裏表紙部を有し、前記表表紙部及び前記裏表紙部は、それぞれ、Ａ４サイズより大きく形成されるとともに、角型２号サイズよりも小さく形成される封筒が提供される。
【０００７】
上記封筒において、前記表表紙部及び裏表紙部は、長辺の長さが３００ｍｍ以上３１０ｍｍ以下、短辺の長さが２１５ｍｍ以上２２５ｍｍ以下であることが好ましい。
【０００８】
上記封筒において、前記表表紙部における前記裏表紙部との接続に用いられない辺部に形成され、前記裏表紙部側へ折り返されると前記開口を閉塞する突出片部を有し、前記表表紙部及び前記突出辺部が展開された状態で、角型２号サイズと同じ若しくは小さいサイズに形成されることが好ましい。
【０００９】
上記封筒において、前記裏表紙部は、前記表表紙部との接続に用いられない辺部側に、当該辺部と平行な方向へ延びるとともに中央側が当該辺部へ向かって湾曲した線状の切り込みにより形成される仮止め片部を有し、前記仮止め片部は、前記突出辺部が前記裏表紙部側へ折り返された状態で、前記突出片部よりも前記裏表紙部と反対側に位置させることにより、前記突出片部を仮止めすることが好ましい。
【００１０】
上記封筒において、糊代部が、前記裏表紙部側に、前記切り込みと重ならないよう配置されることが好ましい。
【００１１】
上記封筒において、前記糊代部は、前記表表紙部側からの折り返し部に前記裏表紙部が重ねられて構成され、前記折り返し部の一部が、前記表表紙部と前記突出片部の折り目と重なることが好ましい。
【００１２】
上記封筒において、前記裏表紙部における前記表表紙部との接続に用いられない辺部は、一端から他端へ向かって前記折り目から離れる方向へ傾斜して形成されることが好ましい。
【考案の効果】
【００１３】
本考案の封筒によれば、Ａ４サイズの紙を収容することができ、かつ、Ａ４サイズ用のビジネスバッグ、棚等に収容されることが簡単容易である。
【図面の簡単な説明】
【００１４】
【図１】本考案の一実施形態を示す封筒の表表紙側の斜視図である。
【図２】封筒の裏表紙側の斜視図である。
【図３】仮止め部により突出片部を仮止めした状態の封筒の裏表紙側の斜視図である。
【図４】突出片部により封をした状態の封筒の裏表紙側の斜視図である。
【図５】裏表紙側の平面図である。
【図６】裏表紙側の拡大平面図である。
【考案を実施するための形態】
【００１５】
図１から図６は本考案の一実施形態を示すものであり、図１は封筒の前方から見た斜視図、図２は封筒の裏表紙側の斜視図、図３は仮止め部により突出片部を仮止めした状態の封筒の裏表紙側の斜視図、図４は突出片部により封をした状態の封筒の裏表紙側の斜視図、図５は裏表紙側の平面図、図６は裏表紙側の拡大平面図である。
【００１６】
図１及び図２に示すように、この封筒１は、それぞれ長方形状を呈し、互いに３つの辺部で接続され、接続に用いられない１つの辺部に開口８が形成される表表紙部２及び裏表紙部３を有する。また、封筒１は、表表紙部２における裏表紙部３との接続に用いられない残りの１つの辺部に形成され、折り目１ａにて裏表紙部３側へ折り返されると開口８を閉塞する突出片部４を有する。
【００１７】
表表紙部２及び裏表紙部３は、それぞれ、Ａ４サイズより大きく、角型２号サイズと同じか小さく形成される。本実施形態においては、表表紙部２は、縦方向寸法が３０６ｍｍ、横方向寸法が２１９ｍｍである。本実施形態においては、裏表紙部３は横方向については表表紙部２と同寸法であるが、縦方向については表表紙部２に対して上端３ａ側が短く形成される。
【００１８】
表表紙部２及び裏表紙部３は、封筒１の第１側端部５、第２側端部６及び下端部７で接続される。表表紙部２及び裏表紙部３は、封筒１の上端側では接続されておらず、前述のように表表紙部２及び裏表紙部３の上端により開口８が形成される。この開口８を通じて、Ａ４サイズの紙を封筒１に出入させることができる。図４に示すように、開口８は、突出片部４を裏表紙部３側へ折り曲げ、裏表紙部３と接着することにより閉塞される。
【００１９】
突出片部４は表表紙部２から離隔する方向（本実施形態においては表表紙部２の縦方向）へ向かって幅方向寸法（本実施形態においては表表紙部２の横方向寸法）が小さくなるように形成され、各側辺は表表紙部２から離隔する方向へ向かって幅方向内側へ傾斜している。本実施形態においては、突出片部４の縦方向寸法は２５ｍｍであり、突出片部４の上端における横方向寸法は２００ｍｍである。図５に示すように、封筒１は、表表紙部２及び突出辺部４が展開された状態で、縦方向が角型２号サイズと同じ若しくは小さく、横方向が角型２号サイズより小さくなっている。
【００２０】
図６に示すように、裏表紙部３は、表表紙部２との接続に用いられない辺部（本実施形態においては上端３ａ）側に、当該辺部と平行な方向へ延びるとともに中央側が当該辺部へ向かって湾曲した線状の切り込み９を有する。この切り込み９により裏表紙部３に仮止め片部１０が形成される。本実施形態においては、仮止め片部１０は半円状に形成される。図３に示すように、突出片部４が裏表紙部３側へ折り返された際に、仮止め片部１０を突出片部４よりも裏表紙部３と反対側に位置させることにより、突出片部４を仮止めすることができる。
【００２１】
また、裏表紙部３の上端３ａは、封筒１の下端部７、折り目１ａ等に対して傾斜して形成される。これにより、開口８を通じた紙等の出入をスムースに行うことができる。本実施形態においては、裏表紙部３の上端３ａは、第２側端部６側から第１側端部５側へ向かって折り目１ａから遠ざかるように傾斜し、第１側端部５側にて最も折り目１ａから遠ざかる。これにより、切り込み９から上端３ａまでの距離を、裏表紙部３の上端３ａが第１側端部５と第２側端部６の中間で折り目１ａから最も遠ざかる場合よりも大きくすることができ、切り込み９付近の裏表紙部３の強度を確保することができる。
【００２２】
封筒１は１枚の紙から形成されており、複数の糊代部が必要となる。本実施形態においては、裏表紙部３の第１側端部５側に第１糊代部１１が、下端部７側に第２糊代部１２が配置される。各糊代部を裏表紙部３に配することにより表表紙２の外観が損なわれることはない。また、第１糊代部１１及び第２糊代部１２は、切り込み９と重ならないよう配置される。これにより、封筒１の製造時に、切り込み９を容易に形成することができる。
【００２３】
本実施形態においては、第１糊代部１１は、表表紙部２側から折り返し部１１ａに裏表紙部３が重ねられて構成される。図６に示すように、折り返し部１１ａの上端は、表表紙部２と突出片部４の折り目１ａと重なっている。これにより、図３に示すように突出片部４を折り曲げた際に、突出片部４は折り返し部１１ａからの反発力を受けることとなる。
【００２４】
以上のように構成された封筒１では、表表紙部２及び裏表紙部３がＡ４サイズより大きいので、Ａ４サイズの紙を収容することができる。また、表表紙部２及び裏表紙部３が角型２号サイズより小さいので、角型２号サイズの封筒よりも、Ａ４サイズ用のビジネスバッグ、棚等に収容されやすい。例えば、アンケート用紙を封筒１に収容して回答者に配布した際に、封筒１をＡ４サイズ用のビジネスバッグ、棚等に収容することができるので、回答者は封筒１を手元に置いておくことができ、角型２号サイズの封筒を用いた場合よりも飛躍的にアンケートの回答率を向上させることができる。
【００２５】
ここで、表表紙部２及び裏表紙部３の寸法は、Ａ４サイズの紙の出入を考慮すると、縦方向（長辺）については３００ｍｍ以上、横方向（短辺）については２１５ｍｍ以上とすることが好ましい。また、表表紙部２及び裏表紙部３の寸法は、Ａ４サイズ用のビジネスバッグ、棚等への収容を考慮すると、縦方向（長辺）については３１０ｍｍ以下、横方向（短辺）については２２５ｍｍ以下とすることが好ましい。
【００２６】
また、本実施形態の封筒１によれば、表表紙部２及び突出辺部４が展開された状態で角型２号サイズと同じ若しくは小さいので、本実施形態の封筒１を折り曲げることなく角型２号サイズの封筒に収容することができる。
【００２７】
また、本実施形態の封筒１によれば、裏表紙部３に仮止め片部１０を設けたので、紙を収容した状態で突出片部４を仮止めすることができる。例えば、アンケートに際し、突出片部４を仮止めした状態でアンケート用紙が収容された封筒１を回答者へ配布し、回答後のアンケート用紙を収容した後に突出片部４により封筒１に封をすることができる。
【００２８】
このとき、突出片部４は折り返し部１１ａからの反発力により、少なくとも一部が裏表紙部３から浮いている。従って、作業者は突出片部４を簡単容易に把持することができ、突出片部４を仮止めした状態から移動させて開口８を再開放する際の作業性が向上する。
【００２９】
尚、前記実施形態においては、表表紙部２及び裏表紙部３の長辺に開口８が形成される封筒１を示したが、表表紙部２及び裏表紙部３の短辺に開口が形成される封筒であってもよい。
【００３０】
また、前記実施形態においては、仮止め片部１０が半円状であるものを示したが、仮止め片部１０の形状はこれに限定されるものではなく、例えば半楕円状とすることもできる。
【００３１】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００３２】
１  封筒
１ａ  折り目
２  表表紙
３  裏表紙
３ａ  上端部
４  突出片部
５  第１側端部
６  第２側端部
７  下端部
８  開口
９  切り込み
１０  仮止め片
１１  第１糊代部
１１ａ 折り返し部
１２  第２糊代部
【図１】
0003200352.tif 000003
【図２】
0003200352.tif 000004
【図３】
0003200352.tif 000005
【図４】
0003200352.tif 000006
【図５】
0003200352.tif 000007
【図６】
0003200352.tif 000008